(57)【要約】      （修正有）【課題】家庭用の常温で保存可能食材が、夏の高い気温で変質が早まる事に対して、今までは冷蔵庫しかなかった。そこで、この考案は、電気を無駄にせず、夏期の高い気温から食材を守ることとする。【解決手段】断熱構造を持つ保存庫に、５℃〜２０℃の温度設定ができる冷却機を設ける。または、冷蔵庫の一部分に高い温度設定が出来る保存庫を設ける。【選択図】図１
0003120407.tif 000002
【実用新案登録請求の範囲】
【請求項１】
５〜２０℃内の一定の温度以下を保つ機能を持つ、家庭用保存庫
【請求項２】
冷蔵庫の一部分に、冷却能力を落とし保存庫として利用する、家庭用保存庫
【考案の詳細な説明】
【技術分野】
【０００１】      この考案は、家庭用の常温保存が可能な食材を、保存する事に関する。
【技術背景】
【０００２】  従来は、常温で保存可能な食材等も、夏期の高い気温から守るには、冷蔵庫に入れるしかなかった。
【考案の開示】
【考案が解決しようとする課題】
【０００３】  従来は、常温保存可能な食材でも、夏期の高い気温の中では変質し易くなる。しかしながら、以上の技術によれば、必要以上の冷却に電気を使い無駄になる。
そこで、この考案は、電気を無駄にせず、夏期の高い気温から食材を守ることを課題とする。
【課題を解決する手段】
【０００４】  この考案は、断熱構造を持つケースと、断熱構造を持つ扉と、そのケース内を冷やす冷却機能を有し、ケース内を５℃〜２０℃内の一定温度に保つ機能を持つものである。
また第二考案は、冷蔵庫に組み込み、保存庫として冷却能力を低く設定し５℃〜２０℃内の一定温度を保つ部分を有する物である。
【考案の効果】
【０００５】  常温での保存が可能な食材を、電気を無駄に使わずに、夏期の高い気温から守れる。
【考案を実施するための最良の形態】
【０００６】  この考案の実施形態を図１、及び図２に示す
図１は、システムキッチンに組み込む形で、扉及び内部を断熱構造にして、スリットより冷却機の排熱を出す構造で、台所の限られたスペースを有効に使う。
図２は、狭い隙間を有効利用する為に、上部に冷却機を設けたもの。
【実施形態の効果】
【０００７】  この実施形態によれば、電気を無駄に使わずに、夏期の高い気温から常温可能な食材を守れ、限られた台所スペースを有効に使える。
【他の実施形態】
【０００８】  冷蔵庫の一部分を５℃〜２０℃内の一定温度に保つ機能を持つもの
【図面の簡単な説明】
【図１】    システムキッチンの一つに冷却機能を付けた保存庫の斜視図。
【図２】    狭い空間を有効利用する為に、冷却機を上部に設けた保存庫の斜視図。
【図１】
0003120407.tif 000003
【図２】
0003120407.tif 000004
【手続補正書】
【提出日】平成17年3月31日(2005.3.31)
【手続補正１】
【補正対象書類名】実用新案登録請求の範囲
【補正対象項目名】全文
【補正方法】変更
【補正の内容】
【実用新案登録請求の範囲】
【請求項１】
扉及び内部を断熱構造にして、リレー付き温度コントロール機により５℃〜２０℃の、任意の温度を保つ様に、冷却用コンプレッサーとファンを作動させ設定温度に保つ。また冬季等、外気温が低い時の為、電源を切るスイッチを設けた保存庫。
【請求項２】
冷蔵庫の一部に、リレー付き温度コントロール機を付け、５℃〜２０℃の任意の温度を保つ様に、冷気取り入れファンと冷蔵庫のコンプレッサーを作動させ、冷蔵庫の冷気を取り入れ冷却する保存庫。
【手続補正書】
【提出日】平成17年6月1日(2005.6.1)
【手続補正１】
【補正対象書類名】実用新案登録請求の範囲
【補正対象項目名】全文
【補正方法】変更
【補正の内容】
【実用新案登録請求の範囲】
【請求項１】
扉及び内部を断熱構造にして、リレー付き温度コントロール機により５℃〜２０℃の、任意の温度を保つ様に、冷却用コンプレッサーとファンを作動させ設定温度に保つ保存庫。
【請求項２】
冷蔵庫の一部に、リレー付き温度コントロール機を付け、５℃〜２０℃の任意の温度を保つ様に、冷気取り入れファンと冷蔵庫のコンプレッサーを作動させ、冷蔵庫の冷気を取り入れ冷却する保存庫。
【手続補正書】
【提出日】平成17年9月2日(2005.9.2)
【手続補正１】
【補正対象書類名】実用新案登録請求の範囲
【補正対象項目名】全文
【補正方法】変更
【補正の内容】
【実用新案登録請求の範囲】
【請求項１】
扉及び内部を断熱構造にして、リレー付き温度コントロール機により５℃〜２０℃の、任意の温度を保つ様に、冷却用コンプレッサーとファンを作動させ設定温度に保つ保存庫。
【請求項２】
前記保存庫の一部分に、冷却能力を高め冷蔵庫としての機能を持つ保存庫。
【手続補正２】
【補正対象書類名】明細書
【補正対象項目名】全文
【補正方法】変更
【補正の内容】
【考案の詳細な説明】
【技術分野】
【０００１】      この考案は、家庭用の常温保存が可能な食材を、保存する事に関する。
【技術背景】
【０００２】  従来は、常温で保存可能な食材等も、夏期の高い気温から守るには、冷蔵庫に入れるしかなかった。
【考案の開示】
【考案が解決しようとする課題】
【０００３】  従来は、常温保存可能な食材でも、夏期の高い気温の中では変質し易くなる。しかしながら、以上の技術によれば、必要以上の冷却に電気を使い無駄になる。
そこで、この考案は、電気を無駄にせず、夏期の高い気温から食材を守ることを課題とする。
【課題を解決する手段】
【０００４】  この考案は、断熱構造を持つケースと、断熱構造を持つ扉と、そのケース内を５℃〜２０℃内の一定温度に保つ冷却機能を持つものである。
また第二考案は、上記保存庫の一部分に冷蔵庫の機能を付けた事を、特徴とする保存庫である。
【考案の効果】
【０００５】  常温での保存が可能な食材を、電気を無駄に使わずに、夏期の高い気温から守れる。
【考案を実施するための最良の形態】
【０００６】  この考案の実施形態を図１、及び図２に示す
扉及び内部を断熱構造にして、スリット５よりコンプレッサー３の排熱を出す構造で、リレー付き温度コントロール機４により、コンプレッサー３と冷却ファン１及び放熱ファン２を作動させ設定温度に保つ
【実施形態の効果】
【０００７】  この実施形態によれば、電気を無駄に使わずに、夏期の高い気温から常温保存可能な食材を守れる。
【図面の簡単な説明】
【０００８】
【図１】      この考案の実施形態を示す断面図である。
【図２】      この考案の実施形態を示す斜視図である。
【手続補正４】
【補正対象書類名】図面
【補正対象項目名】全図
【補正方法】変更
【補正の内容】
【図１】
0003120407.tif 000005
【図２】
0003120407.tif 000006
【手続補正書】
【提出日】平成17年12月24日(2005.12.24)
【手続補正１】
【補正対象書類名】実用新案登録請求の範囲
【補正対象項目名】全文
【補正方法】変更
【補正の内容】
【実用新案登録請求の範囲】
【請求項１】
扉及び内部を断熱構造にして、リレー付き温度コントロール機により５℃〜２０℃の、任意の温度を保つ様に、冷却用コンプレッサーとファンを作動させ設定温度に保つ保存庫。
【請求項２】
冷却能力を高め冷蔵庫としての機能を、あわせ持つことを特徴とする請求項１に記載の保存庫。
【手続補正２】
【補正対象書類名】図面
【補正対象項目名】全図
【補正方法】変更
【補正の内容】
【図１】
0003120407.tif 000007
【図２】
0003120407.tif 000008